【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
画像形成装置の設定値を含むインポートデータをインポート処理する機能を有する画像形成装置であって、
複数の経路のいずれかを介して前記インポートデータを受信してインポート処理するインポート指示を受け付ける受付手段と、
前記インポート指示に基づいて、前記インポートデータを解析する解析手段と、
前記インポートデータを受信したインポートデータ受信経路と、前記解析手段により解析された前記インポートデータとに基づいて、前記インポートデータ受信経路がインポート処理の影響を受けるか否かをインポート処理する前に判定する判定手段と、を有することを特徴とする画像形成装置。
【請求項２】
前記判定手段により前記インポートデータ受信経路が影響を受けないと判定された場合、前記インポートデータをインポート処理した後に、前記インポートデータ受信経路を介して前記インポートデータをインポート処理した結果を示すインポート結果ログを出力する出力手段と、
前記判定手段により前記インポートデータ受信経路が影響を受けると判定された場合、前記インポートデータをインポート処理する前に、前記インポートデータ受信経路がインポート処理の影響を受けることを警告する警告画面を表示部に表示する表示手段を有することを特徴とする請求項１に記載の画像形成装置。
【請求項３】
前記判定手段により前記インポートデータ受信経路が影響を受けると判定された場合、前記出力手段は、前記インポートデータ受信経路とは異なる出力経路を介して前記インポート結果ログを出力することを特徴とする請求項１に記載の画像形成装置。
【請求項４】
前記判定手段により前記インポートデータ受信経路が影響を受けると判定された場合、前記表示手段は、前記警告画面上で前記インポートデータ受信経路とは異なる出力経路を選択できるように前記警告画面を制御することを特徴とする請求項３に記載の画像形成装置。
【請求項５】
前記判定手段により前記インポートデータ受信経路が影響を受けると判定された場合、前記表示手段は、前記インポートデータ受信経路に代わって前記インポート結果ログとして出力可能な出力経路を選定し、前記警告画面上で前記選定された出力経路を選択できるように前記警告画面を制御することを特徴とする請求項４に記載の画像形成装置。
【請求項６】
前記受付手段は前記インポート指示とともに前記インポート結果ログを出力する出力経路の指示を受け付けて、前記出力手段は、前記受付手段で指示された出力経路を介して前記インポート結果ログを出力することを特徴とする請求項３に記載の画像形成装置。
【請求項７】
前記インポートデータ受信経路は、ＵＳＢメモリ、ＮＦＣチップ、ウェブブラウザ、管理サーバからの受信経路のうち少なくとも一つを含むことを特徴とする請求項１乃至６のいずれか１項に記載の画像形成装置。
【請求項８】
前記出力経路は、ＵＳＢメモリ、ＮＦＣチップ、ウェブブラウザ、管理サーバへの送信経路、及び、レポートプリント、Ｅメール送信のうち少なくとも一つを含むことを特徴とする請求項３乃至６のいずれか１項に記載の画像形成装置。
【請求項９】
画像形成装置の設定値を含むインポートデータをインポート処理する機能を有する画像形成装置の制御方法であって、
複数の経路のいずれかを介して前記インポートデータを受信してインポート処理するインポート指示を受け付ける受付工程と、
前記インポート指示に基づいて、前記インポートデータを解析する解析工程と、
前記インポートデータを受信したインポートデータ受信経路と、前記解析工程により解析された前記インポートデータとに基づいて、前記インポートデータ受信経路がインポート処理の影響を受けるか否かをインポート処理前に判定する判定工程と、を有することを特徴とする画像形成装置の制御方法。
【請求項１０】
前記判定工程により前記インポートデータ受信経路が影響を受けないと判定された場合、前記インポートデータをインポート処理した後に、前記インポートデータ受信経路を介して前記インポートデータをインポート処理した結果を示すインポート結果ログを出力する出力工程と、
前記判定工程により前記インポートデータ受信経路が影響を受けると判定された場合、前記インポートデータ受信経路がインポート処理の影響を受けることを警告する警告画面を表示部に表示する表示工程を有することを特徴とする請求項１０に記載の画像形成装置の制御方法。
【請求項１１】
前記判定工程により前記インポートデータ受信経路が影響を受けると判定された場合、前記出力工程において、前記インポートデータ受信経路とは異なる出力経路を介して、前記インポート結果ログを出力することを特徴とする請求項１０に記載の画像形成装置の制御方法。
【請求項１２】
前記判定工程により前記インポートデータ受信経路が影響を受けると判定された場合、前記表示工程において、前記警告画面上で前記インポートデータ受信経路とは異なる出力経路を選択できるように、前記警告画面を制御することを特徴とする請求項１０に記載の画像形成装置の制御方法。
【請求項１３】
前記判定工程により前記インポートデータ受信経路が影響を受けると判定された場合、前記表示工程において、前記インポートデータ受信経路に代わって前記インポート結果ログとして出力可能な出力経路を選定し、前記警告画面上で前記選定された出力経路を選択できるように前記警告画面を制御することを特徴とする請求項１２に記載の画像形成装置の制御方法。
【請求項１４】
前記受付工程は前記インポート指示とともに前記インポート結果ログを出力する出力経路の指示を受け付けて、前記出力工程において、前記受付工程で指示された出力経路を介して前記インポート結果ログを出力することを特徴とする請求項１１に記載の画像形成装置の制御方法。
【請求項１５】
前記インポートデータ受信経路は、ＵＳＢメモリ、ＮＦＣチップ、ウェブブラウザ、管理サーバからの受信経路のうち少なくとも一つを含むことを特徴とする請求項１０乃至１４のいずれか１項に記載の画像形成装置の制御方法。
【請求項１６】
前記出力経路は、ＵＳＢメモリ、ＮＦＣチップ、ウェブブラウザ、管理サーバへの送信経路、及び、レポートプリント、Ｅメール送信のうち少なくとも一つを含むことを特徴とする請求項１１乃至１４のいずれか１項に記載の画像形成装置の制御方法。
【請求項１７】
請求項９乃至１６のいずれか１項に記載の制御方法をコンピュータに実行させるためのプログラム。
【請求項１８】
請求項１７に記載のプログラムを記憶した記憶媒体。
【手続補正２】
【補正対象書類名】明細書
【補正対象項目名】０００５
【補正方法】変更
【補正の内容】
【０００５】
本発明では、上記課題を解決するために、画像形成装置の設定値を含むインポートデータをインポート処理する機能を有する画像形成装置であって、複数の経路のいずれかを介して前記インポートデータを受信してインポート処理するインポート指示を受け付ける受付手段と、前記インポート指示に基づいて、前記インポートデータを解析する解析手段と、前記インポートデータを受信したインポートデータ受信経路と、前記解析手段により解析された前記インポートデータとに基づいて、前記インポートデータ受信経路がインポート処理の影響を受けるか否かをインポート処理前に判定する判定手段と、を有することを特徴とする。
【手続補正３】
【補正対象書類名】明細書
【補正対象項目名】０００６
【補正方法】変更
【補正の内容】
【０００６】
本発明により、画像形成装置に設定値をインポート処理するとインポート受信経路が影響を受けるかをインポート処理前に知ることができる。